(57)【要約】【課題】  携帯に便利で、かつ、外観に面白味のある圧縮固化したタオルやＴシャツ或は軍手等の圧縮固化繊維製品を提供する。【解決手段】  空隙率大飯色繊維製品を圧縮固化して形成した圧縮固化繊維製品が、柱体の側面である閉曲面部３ａと、柱体の上下両端である二つの端塞部３ｂを有し、かつ、稜部３ｃを丸めて、その外形をおむすび形状をしたところの圧縮固化製品３の外面に、海苔を模した暗色シート４を配置して圧縮製品本体２を形成し、圧縮製品本体２の外側を透明フィルム５で包装する。また、圧縮固化製品３を、二枚の空隙率大飯色繊維製品を、円柱体の中心線軸方向Ｃに二つ合わせで形成する。【選択図】        図１
0003127894.tif 000002
【実用新案登録請求の範囲】
【請求項１】
空隙率大飯色繊維製品を圧縮固化して形成した圧縮固化繊維製品が、柱体の側面である閉曲面部（３ａ）と，前記柱体の両端にそれぞれ端塞部（３ｂ）を有し，その外形をおむすび形状をしたところの圧縮固化製品（３）の外面に，海苔を模した暗色シート（４）を配置して圧縮製品本体（２）を形成し、前記圧縮製品本体の外側を透明フィルム（５）で包装したおむすび形状の圧縮固化繊維製品。
【請求項２】
空隙率大飯色繊維製品を圧縮固化して形成した圧縮固化繊維製品が、円柱体の側面である平面円形状の閉曲面部（３ａ）と，前記円柱体の上下両端である二つの平坦な端塞部（３ｂ）を有し，かつ，稜部（３ｃ）を丸めて，その外形を丸いおむすび形状としたところの圧縮固化製品（３）の外面に，海苔を模した暗色シート（４）を配置して圧縮製品本体（２）を形成し、前記圧縮製品本体の外側を透明フィルム（５）で包装したおむすび形状の圧縮固化繊維製品。
【請求項３】
空隙率大飯色繊維製品を圧縮固化して形成した圧縮固化繊維製品が、円柱体の側面である平面円形状の閉曲面部（３ａ）と，前記円柱体の上下両端である二つの平坦な端塞部（３ｂ）を有し，かつ，稜部（３ｃ）を丸めて，その外形を丸いおむすび形状とし，前記円柱体の中心線軸方向（Ｃ）に二つ合わせで形成した圧縮固化製品（３）の外面に，海苔を模した暗色シート（４）を配置して圧縮製品本体（２）を形成し、前記圧縮製品本体の外側を透明フィルム（５）で包装したおむすび形状の圧縮固化繊維製品。
【請求項４】
空隙率大飯色繊維製品を圧縮固化して形成した圧縮固化繊維製品が、円柱体の側面である平面円形状の閉曲面部（３ａ）と，前記円柱体の左右両端である二つの半球状の端塞部（３ｂ）を有し，かつ，稜部（３ｃ）を丸めて，その外形を俵状のおむすび形状をしたところの圧縮固化製品（３）の外面に，海苔を模した暗色シート（４）を配置して圧縮製品本体（２）を形成し、前記圧縮製品本体の外側を透明フィルム（５）で包装したおむすび形状の圧縮固化繊維製品。
【請求項５】
空隙率大飯色繊維製品を圧縮固化して形成した圧縮固化繊維製品が、円柱体の側面である平面円形状の閉曲面部（３ａ）と，前記円柱体の左右両端である二つの半球状の端塞部（３ｂ）を有し，かつ，稜部（３ｃ）を丸めて，その外形を俵状のおむすび形状とし，前記円柱体の中心線軸方向（Ｃ）に二つ合わせで形成した圧縮固化製品（３）の外面に，海苔を模した暗色シート（４）を配置して圧縮製品本体（２）を形成し、前記圧縮製品本体の外側を透明フィルム（５）で包装したおむすび形状の圧縮固化繊維製品。
【請求項６】
空隙率大飯色繊維製品を圧縮固化して形成した圧縮固化繊維製品が、三角柱体の側面である平面三角形状の閉曲面部（３ａ）と，前記三角柱体の上下両端である二つの平坦な端塞部（３ｂ）を有し，かつ，その外形を三角おむすび形状としたところの圧縮固化製品（３）の外面に，海苔を模した暗色シート（４）を配置して圧縮製品本体（２）を形成し、前記圧縮製品本体の外側を透明フィルム（５）で包装したおむすび形状の圧縮固化繊維製品。
【請求項７】
空隙率大飯色繊維製品を圧縮固化して形成した圧縮固化繊維製品が、三角柱体の側面である平面三角形状の閉曲面部（３ａ）と，前記三角柱体の上下両端である二つの平坦な端塞部（３ｂ）を有し，かつ，その外形を三角おむすび形状とし，前記三角柱体の中心線軸方向（Ｃ）に二つ合わせで形成した圧縮固化製品（３）の外面に，海苔を模した暗色シート（４）を配置して圧縮製品本体（２）を形成し、前記圧縮製品本体の外側を透明フィルム（５）で包装したおむすび形状の圧縮固化繊維製品。
【請求項８】
空隙率大飯色繊維製品が、タオルであることを特徴とする請求項１〜７のいずれかに記載の圧縮固化繊維製品。
【請求項９】
空隙率大飯色繊維製品が、Ｔシャツであることを特徴とする請求項１〜７のいずれかに記載の圧縮固化繊維製品。
【請求項１０】
空隙率大飯色繊維製品が、一対の軍手であることを特徴とする請求項３，５又は７に記載の圧縮固化繊維製品。
【請求項１１】
弁当箱形容器（６）中に複数個組合わせて配置収納するおむすび形状の圧縮固化繊維製品であって、空隙率大飯色繊維製品を圧縮固化して形成した圧縮固化繊維製品が、柱体の側面である閉曲面部（３ａ）と，前記柱体の両端にそれぞれ端塞部（３ｂ）を有し，その外形をおむすび形状をしたところの圧縮固化製品（３）の外面に，海苔を模した暗色シート（４）を配置して圧縮製品本体（２）を形成し、前記圧縮製品本体の外側を透明フィルム（５）で包装したおむすび形状の圧縮固化繊維製品。
【考案の詳細な説明】
【技術分野】
【０００１】
本考案は、タオルやＴシャツ或は軍手をおむすび形状に圧縮固化した繊維製品に関するものである。
【背景技術】
【０００２】
旅行やレジャーに必要な携帯品としてタオルやＴシャツ或は軍手がある。このタオル等は、通常、折り畳んだ状態で収納して持ち運ぶが、意外と嵩張るため、特に、複数枚を収納すると大きな容積を占領してしまう。
【０００３】
また、折り畳んだ空隙率大飯色繊維製品は、その外観に何ら面白味がない。旅行やレジャーといった楽しい時間を過ごす場合に、当該タオルの外観に面白味があれば、こうした旅行やレジャーがさらに楽しいものとなる。
【考案の開示】
【考案が解決しようとする課題】
【０００４】
本考案はこうした問題に鑑み創案されたもので、携帯に便利で、かつ、外観に面白味のある圧縮固化した空隙率大飯色繊維製品を提供することを課題とする。
【課題を解決するための手段】
【０００５】
図１乃至図１４を参照して説明する。請求項１に記載のおむすび形状の圧縮固化繊維製品１は、空隙率大飯色繊維製品を圧縮固化して形成した圧縮固化繊維製品が、柱体の側面である閉曲面部３ａと、前記柱体の上下両端である二つの端塞部３ｂを有し、かつ、稜部３ｃを丸めて、その外形をおむすび形状をしたところの圧縮固化製品３の外面に、海苔を模した暗色シート４を配置して圧縮製品本体２を形成し、前記圧縮製品本体２の外側を透明フィルム５で包装したものである。
【０００６】
請求項２に記載のおむすび形状の圧縮固化繊維製品１は、空隙率大飯色繊維製品を圧縮固化して形成した圧縮固化繊維製品が、円柱体の側面である平面円形状の閉曲面部３ａと、前記円柱体の上下両端である二つの平坦な端塞部３ｂを有し、かつ、稜部３ｃを丸めて、その外形を丸いおむすび形状としたところの圧縮固化製品３の外面に、海苔を模した暗色シート４を配置して圧縮製品本体２を形成し、前記圧縮製品本体２の外側を透明フィルム５で包装したものである。
【０００７】
請求項３に記載のおむすび形状の圧縮固化繊維製品１は、空隙率大飯色繊維製品を圧縮固化して形成した圧縮固化繊維製品が、円柱体の側面である平面円形状の閉曲面部３ａと、前記円柱体の上下両端である二つの平坦な端塞部３ｂを有し、かつ、稜部３ｃを丸めて、その外形を丸いおむすび形状とし、前記円柱体の中心線軸方向Ｃに二つ合わせで形成した圧縮固化製品３の外面に、海苔を模した暗色シート４を配置して圧縮製品本体２を形成し、前記圧縮製品本体２の外側を透明フィルム５で包装したものである。
【０００８】
請求項４に記載のおむすび形状の圧縮固化繊維製品１は、空隙率大飯色繊維製品を圧縮固化して形成した圧縮固化繊維製品が、円柱体の側面である平面円形状の閉曲面部３ａと、前記円柱体の上下両端である二つの半球状の端塞部３ｂを有し、かつ、稜部３ｃを丸めて、その外形を俵状のおむすび形状をしたところの圧縮固化製品３の外面に、海苔を模した暗色シート４を配置して圧縮製品本体２を形成し、前記圧縮製品本体２の外側を透明フィルム５で包装したものである。
【０００９】
請求項５に記載のおむすび形状の圧縮固化繊維製品１は、空隙率大飯色繊維製品を圧縮固化して形成した圧縮固化繊維製品が、円柱体の側面である平面円形状の閉曲面部３ａと、前記円柱体の上下両端である二つの半球状の端塞部３ｂを有し、かつ、稜部３ｃを丸めて、その外形を俵状のおむすび形状とし、前記円柱体の中心線軸方向Ｃに二つ合わせで形成した圧縮固化製品３の外面に、海苔を模した暗色シート４を配置して圧縮製品本体２を形成し、前記圧縮製品本体２の外側を透明フィルム５で包装したものである。
【００１０】
請求項６に記載のおむすび形状の圧縮固化繊維製品１は、空隙率大飯色繊維製品を圧縮固化して形成した圧縮固化繊維製品が、三角柱体の側面である平面三角形状の閉曲面部３ａと、前記三角柱体の上下両端である二つの平坦な端塞部３ｂを有し、かつ、稜部３ｃを丸めて、その外形を三角おむすび形状としたところの圧縮固化製品３の外面に、海苔を模した暗色シート４を配置して圧縮製品本体２を形成し、前記圧縮製品本体２の外側を透明フィルム５で包装したものである。
【００１１】
請求項７に記載のおむすび形状の圧縮固化繊維製品１は、空隙率大飯色繊維製品を圧縮固化して形成した圧縮固化繊維製品が、三角柱体の側面である平面三角形状の閉曲面部３ａと、前記三角柱体の上下両端である二つの平坦な端塞部３ｂを有し、かつ、稜部３ｃを丸めて、その外形を三角おむすび形状とし、前記三角柱体の中心線軸方向Ｃに二つ合わせで形成した圧縮固化製品３の外面に、海苔を模した暗色シート４を配置して圧縮製品本体２を形成し、前記圧縮製品本体２の外側を透明フィルム５で包装したものである。
【００１２】
請求項８の考案は、おむすび形状の圧縮固化繊維製品をタオルに適用したものであり、請求項９の考案は、おむすび形状の圧縮固化繊維製品をＴシャツに適用したものであり、請求項１０の考案は、おむすび形状の圧縮固化繊維製品を軍手に適用したものである。また請求項１１の考案は、弁当箱形容器６中に複数個組合わせて配置収納するおむすび形状の圧縮固化繊維製品である。
【考案の効果】
【００１３】
請求項１乃至７に記載のおむすび形状の圧縮固化繊維製品１は、空隙率大飯色繊維製品をおむすび形状に圧縮固化しているので、小型化され、嵩張らない。従って、旅行やレジャーにおいて携帯にきわめて便利である。
【００１４】
なお、使用に際しては、透明フィルム５と暗色シート４を剥がした後、水につけたり、ほぐすことによって、通常の空隙率大飯色繊維製品と同様に使用することができる。
【００１５】
また、この圧縮固化繊維製品１は、おむすび形状に圧縮固化したものの外面に海苔を模した暗色シート４を配置しているので、外観が本物のおむすびのように視覚される。従って、外観に面白味があり、旅行やレジャーをさらに楽しいものとすることができる。
【００１６】
なお、請求項３、５および７に記載の考案は、上記した効果を発揮すると共に、圧縮固化製品３を、二個の空隙率大飯色繊維製品を、円柱体や三角柱体の中心線軸方向Ｃに二つ合わせで合体させて形成しているので、おむすびを半分に割る場合のように、夫婦などで半分ずつに分け合って使用することができる。
【００１７】
なお、請求項２および３に記載の考案は、丸いおむすびを好む者に好適であり、請求項４および５に記載の考案は、俵おむすびを好む者に好適である。また、請求項６および７に記載の考案は、三角おむすびを好む者に好適である。
【００１８】
空隙率大飯色繊維製品としては、タオル，Ｔシャツ，軍手が挙げられ、これらを複数個弁当箱形容器６内に配置収納したものは、使用に便利である。
【考案を実施するための最良の形態】
【００１９】
本考案に係るおむすび形状の圧縮固化繊維製品１の第一実施形態を、図１乃至図４および図１２に示す。これは、白いタオルを金型でプレスして圧縮固化したものであり、円柱体の側面である平面円形状の閉曲面部３ａと、円柱体の上下両端である二つの平坦な端塞部３ｂを有し、かつ、両者の稜部３ｃを丸めて、その外形を丸いおむすび形状としている。
【００２０】
また、こうして形成した圧縮固化製品３の閉曲面部３ａと端塞部３ｂにかけて、海苔を模した暗色シート４を配置して圧縮製品本体２を形成している。そして、圧縮製品本体２の外側を透明フィルム５で包装している。暗色シート４は、実際の海苔のように黒色や青色が好ましい。
【００２１】
なお、この圧縮固化繊維製品１は、一枚のタオルで形成することもできるが、図４に示すように、二枚のタオルを使用し、円柱体の中心線軸方向Ｃに二つ合わせで形成することもできる。また、三枚以上のタオルで形成することもできる。
【００２２】
本考案に係るおむすび形状の圧縮固化繊維製品１の第二実施形態を、図５乃至図７および図１３に示す。これは、円柱体の側面である平面円形状の閉曲面部３ａと、円柱体の上下両端である二つの半球状の端塞部３ｂを有し、かつ、稜部３ｃを丸めて、その外形を俵状のおむすび形状とし、その外面に、海苔を模した暗色シート４を配置して圧縮製品本体２を形成している。そして、圧縮製品本体２の外側を透明フィルム５で包装している。
【００２３】
なお、この圧縮固化繊維製品１も、図７に示すように、二枚のタオルを使用して、円柱体の中心線軸方向Ｃに二つ合わせで形成することができる。
【００２４】
本考案に係るおむすび形状の圧縮固化繊維製品１の第三実施形態を、図８乃至図１１および図１４に示す。これは、三角柱体の側面である平面三角形状の閉曲面部３ａと、三角柱体の上下両端である二つの平坦な端塞部３ｂを有し、かつ、稜部３ｃを丸めて、その外形を三角おむすび形状とした圧縮固化製品３の外面に、海苔を模した暗色シート４を配置して圧縮製品本体２を形成している。そして、圧縮製品本体２の外側を透明フィルム５で包装している。
【００２５】
この圧縮固化繊維製品１も、図１１に示すように、二枚の空隙率大飯色繊維製品を使用して、三角柱体の中心線軸方向Ｃに二つ合わせで形成することができる。
【００２６】
上記第一乃至第三実施形態に係るおむすび形状の圧縮固化繊維製品１は、空隙率大飯色繊維製品をおむすび形状に圧縮固化しているので、小型化され、カバンに入れても嵩張らない。従って、旅行やレジャーにおいて携帯するのにきわめて便利である。
【００２７】
また、この圧縮固化繊維製品１は、おむすび形状に圧縮固化した圧縮製品本体２の外面に海苔を模した暗色シート４を巻いているので、本物のおむすびのように視覚される。従って、外観に面白味があり、旅行やレジャーがさらに楽しいものとなる。
【００２８】
なお、上記実施形態において、二枚の空隙率大飯色繊維製品を、円柱体や三角柱体の中心線軸方向Ｃに二つ合わせで合体させて形成すると、おむすびを半分に割る場合のように、夫婦などで半分づつに分け合って使用することができる。
【００２９】
この圧縮固化繊維製品１は、使用に際しては、透明フィルム５と暗色シート４を剥がした後、水につけ、あるいはほぐす。これにより、原形（通常のタオルと同じ大きさ）に戻るので、通常のタオルと同じように使用することができる。
【００３０】
また、図１５，図１６に示す如く、第一，二，三実施形態の圧縮固化繊維製品１〜１複数個を組合わせて、容器本体６ａと蓋６ｂからなる弁当箱形容器６に収納すると更に興味を引くものであり、圧縮固化繊維製品１〜１を取出して使用に供したのちは、弁当箱形容器６を他の用途に使用することも可能である。
【図面の簡単な説明】
【００３１】
【図１】本考案に係る圧縮固化繊維製品の第一実施形態を示す平面図である。
【図２】図１に示す圧縮固化繊維製品の正面図である。
【図３】図１に示す圧縮固化繊維製品の側面図である。
【図４】図１に示す圧縮固化繊維製品の他の態様を示す正面図である。
【図５】本考案に係る圧縮固化繊維製品の第二実施形態を示す平面図である。
【図６】図５に示す圧縮固化繊維製品の正面図および側面図である。
【図７】図５に示す圧縮固化繊維製品の他の態様を示す正面図である。
【図８】本考案に係る圧縮固化繊維製品の第三実施形態を示す平面図である。
【図９】図８に示す圧縮固化繊維製品の正面図である。
【図１０】図８に示す圧縮固化繊維製品の側面図である。
【図１１】図８に示す圧縮固化繊維製品の他の態様を示す正面図である（透明フィルムを除く）。
【図１２】本考案に係る圧縮固化繊維製品の第一実施形態を示す斜視図である（透明フィルムを除く）。
【図１３】本考案に係る圧縮固化繊維製品の第二実施形態を示す斜視図である（透明フィルムを除く）。
【図１４】本考案に係る圧縮固化繊維製品の第三実施形態を示す斜視図である（透明フィルムを除く）。
【図１５】圧縮固化繊維製品を、弁当箱状容器に収納した状態における平面図である。
【図１６】図１５のＹ−Ｙ側面図である。
【符号の説明】
【００３２】
１      圧縮固化繊維製品
２      圧縮製品本体
３      圧縮固化製品
３ａ    閉曲面部
３ｂ    端塞部
３ｃ    稜部
４      暗色シート
５      透明フィルム
６      弁当箱形容器
６ａ    容器本体
６ｂ    蓋
Ｃ      中心線軸方向
【図１】
0003127894.tif 000003
【図２】
0003127894.tif 000004
【図３】
0003127894.tif 000005
【図４】
0003127894.tif 000006
【図５】
0003127894.tif 000007
【図６】
0003127894.tif 000008
【図７】
0003127894.tif 000009
【図８】
0003127894.tif 000010
【図９】
0003127894.tif 000011
【図１０】
0003127894.tif 000012
【図１１】
0003127894.tif 000013
【図１２】
0003127894.tif 000014
【図１３】
0003127894.tif 000015
【図１４】
0003127894.tif 000016
【図１５】
0003127894.tif 000017
【図１６】
0003127894.tif 000018